(57)【特許請求の範囲】
【請求項１】
フードの外板を構成するフードアウタパネルと、
前記フードアウタパネルに対してフード下方側に配置されると共に前記フードアウタパネルに結合され、フードの内板を構成するフードインナパネルと、
を有し、前記フードインナパネルは、ＪＩＳ規格による６０００系のアルミニウム合金板で形成されて板厚が０．９ｍｍに設定されると共に２０℃で冷間成形されたものであり、かつ、前記フードアウタパネル側に凸形状とされた凸部と、前記フードアウタパネル側に凹形状とされた凹部と、が交互に設けられて波形形状とされた波状部が形成されており、前記波状部の波形形状の高さが、２０℃で冷間成形をした場合の成形限界の寸法に設定され、
前記波形形状の断面において複数の前記凸部のうち両端以外の任意の凸部に対してその両側に隣接してそれぞれ形成された凸部の頂部同士の間の幅寸法が、歩行者頭部を模擬した頭部インパクタの外径（１６５ｍｍ）よりも小さく設定され、
前記波状部における波形形状の波長ｐが、７０ｍｍ≦ｐ≦８８ｍｍに設定されている車両用フード構造。
【請求項２】
前記凸部の頂部には平坦部が形成され、前記波形形状の断面において前記平坦部及び当該平坦部の両側に連続してそれぞれ形成された両側の凹部開口部の三者の幅寸法の和が前記頭部インパクタの外径（１６５ｍｍ）よりも小さく設定されている請求項１記載の車両用フード構造。
【請求項３】
前記波状部における波形形状の波長ｐが、７０ｍｍ≦ｐ≦８２．５ｍｍに設定されている請求項１又は請求項２に記載の車両用フード構造。
【請求項４】
前記凹部の底部に脆弱部が形成されている請求項１〜請求項３のいずれか一項に記載の車両用フード構造。
【請求項５】
前記凸部は、フード前後方向に対して、平行な方向又は斜め方向に沿って形成されている請求項１〜請求項４のいずれか一項に記載の車両用フード構造。 
【請求項６】
前記凸部は、フード平面視の中央部側を中心として同心円状に又は前記中央部側から放射状に形成されている請求項１〜請求項４のいずれか一項に記載の車両用フード構造。
【請求項７】
前記波状部の少なくとも一部は、前記フードが覆うエンジンルームの内部の剛体物と対面する位置に形成されている請求項１〜請求項６のいずれか一項に記載の車両用フード構造。
【請求項８】
前記凹部の底部が湾曲状に形成されている請求項１〜請求項７のいずれか一項に記載の車両用フード構造。
【請求項９】
前記凹部の底部には、前記底部の延在方向を長手方向とする長孔が貫通形成されている請求項１〜請求項８のいずれか一項に記載の車両用フード構造。
【請求項１０】
前記長孔は、前記底部において前記フードが覆うエンジンルームの内部の剛体物と対面する位置でかつ前記剛体物までの隙間が他部位よりも短い部位に主として形成されている請求項９記載の車両用フード構造。
【発明の詳細な説明】
【技術分野】
【０００１】
本発明は、自動車等の車両に適用される車両用フード構造に関する。
【背景技術】
【０００２】
車両用フード構造においては、フードアウタパネルにフードインナパネルが結合された構造が知られており、フード構造の軽量化のためにフードアウタパネル及びフードインナパネルにアルミニウム合金が用いられる場合がある。このような構造においてフードインナパネルには、歩行者保護の観点から、車体前後方向を長手方向として並列された複数のビードが波型に形成されている場合がある。このようなフードインナパネルにおいては、例えば、波型インナーの波長ｐを、概ね頭部外径を基準として、その前後の値とすることにより、頭部衝突時に、頭部を概ね１つの波で支える構造が適用されている（例えば、特許文献１の段落番号［００７０］参照）。
【特許文献１】特開２００３−２０５８６６公報
【発明の開示】
【発明が解決しようとする課題】
【０００３】
しかしながら、この構造では、フードインナパネルによるフードアウタパネルの支持間隔が広いのでフードアウタパネルの剛性を確保するという点で改善の余地がある。すなわち、フードアウタパネルの剛性をより高めることでフードアウタパネルによる衝突初期のエネルギー吸収量を従来構造よりもさらに大きくすることが考えられる。また、例えば、複数のビード間の上方側に衝突体（頭部インパクタ）が衝突した場合に衝突体がフードアウタパネルを介してフードインナパネルに接触するタイミングを早くするという点で改善の余地がある。すなわち、衝突体がフードアウタパネルを介してフードインナパネルに接触するタイミングをより早くすることで、衝突初期のエネルギー吸収におけるフードインナパネルの寄与を従来構造よりもさらに大きくすることができると考えられる。さらに、例えば、単一のビードの頂部の上方側に衝突体が衝突した場合等には、単一のビードの頂部が変形する時間を短くするという点で改善の余地がある。すなわち、単一のビードの頂部が変形する時間をより短くすることで、従来構造よりも大きな断面変形を起こし難くすることができると考えられる。これらのように、この従来構造では、フードによるエネルギー吸収量を向上させる点で改善の余地がある。【０００４】
本発明は、上記事実を考慮して、衝突体の衝突時におけるエネルギー吸収性能を向上させることができる車両用フード構造を得ることが目的である。
【課題を解決するための手段】
【０００５】
本発明の第１の態様に係る車両用フード構造は、フードの外板を構成するフードアウタパネルと、前記フードアウタパネルに対してフード下方側に配置されると共に前記フードアウタパネルに結合され、フードの内板を構成するフードインナパネルと、を有し、前記フードインナパネルは、ＪＩＳ規格による６０００系のアルミニウム合金板で形成されて板厚が０．９ｍｍに設定されると共に２０℃で冷間成形されたものであり、かつ、前記フードアウタパネル側に凸形状とされた凸部と、前記フードアウタパネル側に凹形状とされた凹部と、が交互に設けられて波形形状とされた波状部が形成されており、前記波状部の波形形状の高さが、２０℃で冷間成形をした場合の成形限界の寸法に設定され、前記波形形状の断面において複数の前記凸部のうち両端以外の任意の凸部に対してその両側に隣接してそれぞれ形成された凸部の頂部同士の間の幅寸法が、歩行者頭部を模擬した頭部インパクタの外径（１６５ｍｍ）よりも小さく設定され、前記波状部における波形形状の波長ｐが、７０ｍｍ≦ｐ≦８８ｍｍに設定されている。
【０００６】
本発明の第１の態様に係る車両用フード構造によれば、フードの内板を構成するフードインナパネルは、フードの外板を構成するフードアウタパネルに対してフード下方側に配置されると共にフードアウタパネルに結合されている。このフードインナパネルは、ＪＩＳ規格による６０００系のアルミニウム合金板で形成されて板厚が０．９ｍｍに設定されると共に２０℃で冷間成形されたものである。また、フードインナパネルに形成された波状部は、フードアウタパネル側に凸形状とされた凸部と、フードアウタパネル側に凹形状とされた凹部と、が交互に設けられて波形形状となっている。波状部の波形形状の高さは２０℃で冷間成形をした場合の成形限界の寸法に設定されている。このため、フードインナパネルは、剛性が比較的高く、その弾性変形等に要するエネルギーを吸収する。
【０００７】
ここで、波形形状の断面において複数の凸部のうち両端以外の任意の凸部に対してその両側に隣接してそれぞれ形成された凸部の頂部同士の間の幅寸法が、歩行者頭部を模擬した頭部インパクタの外径（１６５ｍｍ）よりも小さく設定されている。このため、フードインナパネルによるフードアウタパネルの支持間隔が狭くなるので、フードアウタパネルの剛性を確保しやすく、フードアウタパネルの剛性が上がると、フードアウタパネルによる衝突初期のエネルギー吸収量も大きくなる。また、例えば、衝突体である頭部インパクタがフードインナパネルの頂部間の上方側でフードアウタパネルに衝突した場合、頭部インパクタは、フードアウタパネルが撓み始めてから比較的早い段階で、フードアウタパネルを介してフードインナパネルに接触して支持される。これにより、衝突初期のエネルギー吸収におけるフードインナパネルの寄与度が高まる。さらに、例えば、頭部インパクタがフードインナパネルの単一の頂部の上方側でフードアウタパネルに衝突した場合であっても、頭部インパクタは少なくとも衝突後期にはフードアウタパネルを介して複数の頂部に接触して支持される。これにより、単一の凸部が撓む時間が短くなって凸部の断面変形が抑えられ、衝突後期のエネルギー吸収量を大きくすることができる。
また、波状部における波形形状の波長ｐが、７０ｍｍ≦ｐ≦８８ｍｍに設定されているので、波状部は、波形形状の波長ｐが短く設定されつつ、プレス成形によって波形形状の高さも確保でき、剛性の一層の向上が可能となる。ここで、波状部の剛性が確保されることで、波状部に支持されるフードアウタパネルの剛性を高くすることができ、フードインナパネルのエネルギー吸収への寄与が早まることと相まって、頭部インパクタの衝突初期から大きなエネルギー吸収が成される。また、波状部の剛性が確保されることで、フードインナパネルの断面変形が生じ難くなり、頭部インパクタの衝突後期にも大きなエネルギー吸収が成される。これらにより、フードによる歩行者保護性能が一層向上する。【０００８】
本発明の第２の態様は、第１の態様に係る車両用フード構造において、前記凸部の頂部には平坦部が形成され、前記波形形状の断面において前記平坦部及び当該平坦部の両側に連続してそれぞれ形成された両側の凹部開口部の三者の幅寸法の和が前記頭部インパクタの外径（１６５ｍｍ）よりも小さく設定されている。【０００９】
本発明の第２の態様に係る車両用フード構造によれば、凸部の頂部には平坦部が形成されているので、凸部の頂部に平坦部が形成されていない場合に比べてフードインナパネルの断面係数を上げられる。また、波形形状の断面において平坦部及び当該平坦部の両側に連続してそれぞれ形成された両側の凹部開口部の三者の幅寸法の和（すなわち、平坦部とその両側の凹部開口部の各幅寸法の和）が頭部インパクタの外径（１６５ｍｍ）よりも小さく設定されているので、フードアウタパネルを介して衝突体がフードインナパネルの上方側に衝突した場合、フードインナパネルはフードアウタパネルを介して衝突体を安定的に支持しながら変形してエネルギー吸収を成す。これらにより、フードインナパネルによるエネルギー吸収量が大きくなる。【００１０】
本発明の第３の態様は、第１の態様又は第２の態様に係る車両用フード構造において、前記波状部における波形形状の波長ｐが、７０ｍｍ≦ｐ≦８２．５ｍｍに設定されている。【００１２】
本発明の第４の態様は、第１の態様〜第３の態様のいずれか１態様に係る車両用フード構造において、前記凹部の底部に脆弱部が形成されている。【００１３】
本発明の第４の態様に係る車両用フード構造によれば、凹部の底部に脆弱部が形成されているので、衝突体がフードに衝突してフードインナパネルがその下方側の部材に接した場合に、フードインナパネルは脆弱部により比較的容易に変形する。【００１４】
本発明の第５の態様は、第１の態様〜第４の態様のいずれか１態様に係る車両用フード構造において、前記凸部は、フード前後方向に対して、平行な方向又は斜め方向に沿って形成されている。【００１５】
本発明の第５の態様に係る車両用フード構造によれば、凸部は、フード前後方向に対して平行な方向又は斜め方向に沿って形成されているので、フードインナパネルは、フード前後方向又はフード前後方向に対して斜め方向における剛性が高くなる。これにより、衝突体の衝突に対するフードインナパネルの剛性が高められ、フードインナパネルによるエネルギー吸収量が大きくなる。【００１６】
本発明の第６の態様は、第１の態様〜第４の態様のいずれか１態様に係る車両用フード構造において、前記凸部は、フード平面視の中央部側を中心として同心円状に又は前記中央部側から放射状に形成されている。【００１７】
本発明の第６の態様に係る車両用フード構造によれば、凸部は、フード平面視の中央部側を中心として同心円状に又は中央部側から放射状に形成されているので、衝突体の衝突に対するフードインナパネルの剛性が高められる。このため、フードアウタパネルを介して衝突体がフードインナパネルの上方側に衝突した場合、フードインナパネルによるエネルギー吸収量が大きくなる。【００１８】
本発明の第７の態様は、第１の態様〜第６の態様のいずれか１態様に係る車両用フード構造において、前記波状部の少なくとも一部は、前記フードが覆うエンジンルームの内部の剛体物と対面する位置に形成されている。【００１９】
本発明の第７の態様に係る車両用フード構造によれば、フードインナパネルの波状部の少なくとも一部は、フードが覆うエンジンルームの内部の剛体物と対面する位置に形成されているので、フードインナパネルは剛体物の車両上方側の部位における剛性が高められている。このため、衝突体が剛体物の車両上方側でフードに衝突した場合には、波状部によって衝撃エネルギーが吸収されるので、衝突体の侵入量が抑えられる。
本発明の第８の態様は、第１の態様〜第７の態様のいずれか１態様に係る車両用フード構造において、前記凹部の底部が湾曲状に形成されている。
本発明の第９の態様は、第１の態様〜第８の態様のいずれか１態様に係る車両用フード構造において、前記凹部の底部には、前記底部の延在方向を長手方向とする長孔が貫通形成されている。
本発明の第１０の態様は、第９の態様に係る車両用フード構造において、前記長孔は、前記底部において前記フードが覆うエンジンルームの内部の剛体物と対面する位置でかつ前記剛体物までの隙間が他部位よりも短い部位に主として形成されている。
【発明の効果】
【００２０】
以上説明したように、本発明の上記の各態様に係る車両用フード構造によれば、衝突体の衝突時におけるエネルギー吸収性能を向上させることができるという優れた効果を有する。【００２１】
本発明の第２の態様に係る車両用フード構造によれば、凸部の頂部に平坦部が形成されることによって、フードインナパネルによるエネルギー吸収性能を一層向上させることができるという優れた効果を有する。【００２２】
本発明の第３の態様に係る車両用フード構造によれば、波状部において波形形状の波長ｐが短く設定されつつ波形形状の高さも確保可能となることで、波状部の剛性の一層の向上が可能となり、フードインナパネルによるエネルギー吸収性能を一層向上させることができるという優れた効果を有する。【００２３】
本発明の第４の態様に係る車両用フード構造によれば、凹部の底部に脆弱部が形成されることで、衝突体がフードに衝突してフードインナパネルがその下方側の部材に接した場合に、フードインナパネルは比較的容易に変形することができるという優れた効果を有する。【００２４】
本発明の第５の態様に係る車両用フード構造によれば、フード前後方向に対して平行な方向又は斜め方向に沿って凸部が形成されることによって、フードインナパネルによるエネルギー吸収性能を一層向上させることができるという優れた効果を有する。【００２５】
本発明の第６の態様に係る車両用フード構造によれば、フード平面視の中央部側を中心として同心円状に又は中央部側から放射状に凸部が形成されることによって、フードインナパネルによるエネルギー吸収性能を一層向上させることができるという優れた効果を有する。【００２６】
本発明の第７の態様に係る車両用フード構造によれば、エンジンルームの内部の剛体物と対面する位置に波状部の少なくとも一部が形成されることによって、剛体物の車両上方側でのフードインナパネルによるエネルギー吸収性能が向上し、その結果として、フードと剛体物との間の隙間を小さくすることができるという優れた効果を有する。
【図面の簡単な説明】
【００２７】
【図１】本発明の第１の実施形態に係る車両用フード構造が適用された車両前部を示す平面図である。
【図２Ａ】本発明の第１の実施形態に係る車両用フード構造が適用されたフードを示す平面図である（フードアウタパネル等を透視した状態で示す。）。
【図２Ｂ】図２Ａの２Ｂ−２Ｂ線に沿って切断した状態で示す断面図である。
【図３】本発明の第１の実施形態に係る車両用フード構造が適用されたフードをフード幅方向に沿って切断した状態で示す断面図である。
【図４】図１の４−４線に沿って切断した状態で示す拡大断面図である。
【図５Ａ】頭部インパクタがフードインナパネルの頂部間の上方側でフードアウタパネルに衝突した状態を示す断面図である。
【図５Ｂ】図５Ａの状態からフードアウタパネルが撓んだ状態を示す断面図である。
【図６Ａ】頭部インパクタがフードインナパネルの単一の頂部の上方側でフードアウタパネルに衝突した状態を示す断面図である。
【図６Ｂ】図６Ａの状態からフードアウタパネルが撓んだ状態を示す断面図である。
【図６Ｃ】図６Ｂの状態からフードアウタパネルがさらに撓んだ状態を示す断面図である。
【図７】本発明の第１の実施形態に係る車両用フード構造及び対比構造のＧ−Ｓ線図である。
【図８】本発明の第１の実施形態に係る車両用フード構造及び対比構造に係るフードに頭部インパクタを衝突させた場合のＨＩＣ値及び侵入量を示すグラフである。
【図９】フードに頭部インパクタを衝突させた場合の頭部侵入量と波高さの和と、波ピッチとの関係を示すグラフである。
【図１０】波高さと波ピッチとの成形限界点で示すグラフである。
【図１１Ａ】本発明の第２の実施形態に係る車両用フード構造が適用されたフードにおけるフードインナパネルの一部を示す斜視図である。
【図１１Ｂ】図１１Ａの状態からフードインナパネルが撓んだ状態を示す斜視図である。
【図１２Ａ】本発明の第２の実施形態に係る車両用フード構造が適用されたフードに頭部インパクタが衝突した状態を示す断面図である。
【図１２Ｂ】図１２Ａの状態からフードがさらに撓んでフードインナパネルがエンジンルームの内部の剛体物と当接した状態を示す断面図である。
【図１３】フードインナパネルの底部に長孔が形成されたフード、及び前記長孔が形成されていないフードにおける各Ｇ−Ｓ特性を示すＧ−Ｓ線図である。
【図１４】本発明の第３の実施形態に係る車両用フード構造が適用されたフードを示す平面図である（フードアウタパネル等を透視した状態で示す。）。
【図１５】本発明の第４の実施形態に係る車両用フード構造が適用されたフードを示す平面図である（フードアウタパネル等を透視した状態で示す。）。
【図１６】本発明の第５の実施形態に係る車両用フード構造が適用されたフードを示す平面図である（フードアウタパネル等を透視した状態で示す。）。
【発明を実施するための最良の形態】
【００２８】
［第１実施形態］
本発明の第１の実施形態に係る車両用フード構造について図１〜図１０を用いて説明する。なお、これらの図において適宜示される矢印ＦＲは車両前方側を示しており、矢印ＵＰは車両上方側を示しており、矢印Ｗは車両幅方向を示している。また、フード閉止状態においては、フード前後方向は車両前後方向と同じ方向とし、フード上下方向は車両上下方向と同じ方向とし、フード幅方向は車両幅方向と同じ方向とする。【００２９】
図１には、本実施形態に係る車両用フード構造が適用された車両前部が平面図にて示されている。図１に示されるように、自動車（車両）１０における車両前部１０Ａには、エンジンルーム１２を開閉可能に覆うフード（エンジンフード）１４が配設されている。フード１４に覆われるエンジンルーム１２の内部には、パワーユニット等の剛体物１２Ａ（図２Ｂ参照）が配設されている。【００３０】
フード１４は、金属製（本実施形態ではアルミニウム合金製）とされており、一般的なフードと同様に、フード前後方向の寸法よりもフード幅方向の寸法のほうが長く設定されている。フード１４のフード前後方向における後端部には、ヒンジ（図示省略）が配設されており、これによって、フード１４は、ヒンジ（図示省略）におけるフード幅方向の軸回りに回転移動可能、すなわち開閉可能となっている。なお、フード１４は、ヒンジ（図示省略）側に設けられるヒンジリインフォース（図示省略）等の補強部材（広義には「フード付属部材」として把握される要素である。）によって、局部補強されている。【００３１】
図２Ａには、フード１４がフードアウタパネル１６（想像線参照）等を透視した状態の平面図にて示されており、図２Ｂには、図２Ａの２Ｂ−２Ｂ線に沿って切断した状態の断面図が示されている。これらの図に示されるフード１４は、フード１４の外板を構成すると共に略車両前後方向に沿って延在されるフードアウタパネル１６と、このフードアウタパネル１６に対してフード下方側に配置されると共にフードアウタパネル１６に結合されてフード１４の内板を構成するフードインナパネル１８と、を含んで構成されている。また、図２Ａに示されるように、フード１４のフード前後方向における前端部の中央領域には、デントリインフォース６０が配置されており、このデントリインフォース６０のフード下方側には、ストライカリインフォース６８（図４参照）が配置されている。【００３２】
図４には、図１の４−４線に沿って切断した状態の拡大断面図が示されている。図４に示されるストライカリインフォース６８は、フードアウタパネル１６とフードインナパネル１８との間に配置されてフードストライカ７０周りの剛性を確保するための金属製で屈曲板状の補強部材である。ストライカリインフォース６８のフード前後方向における中間部は、フードインナパネル１８に接合され、ストライカリインフォース６８のフード前後方向における端部は、デントリインフォース６０のフード前後方向における端部側の裏面に接合されている。【００３３】
デントリインフォース６０は、金属製で板状とされてフードアウタパネル１６とフードインナパネル１８との間においてフードアウタパネル１６側に配置され、フード１４を閉止する際のフードアウタパネル１６の変形を抑制するための補強部材とされている。図２Ａ及び図４に示されるように、デントリインフォース６０には、複数のマスチック座６４が形成されている。【００３４】
図４に示されるように、マスチック座６４は、デントリインフォース６０の一般面６２からフードアウタパネル１６側へ隆起した部位とされ、デントリインフォース６０の一般面６２に対して一段高い頂面６４Ａを備えている。マスチック座６４は、各頂面６４Ａの中央側に凹部６４Ｂが形成されている。マスチック座６４の凹部６４Ｂは、接着剤であるマスチック６６が充填される部位とされている。すなわち、デントリインフォース６０は、フードアウタパネル１６にほぼ沿って延在すると共にマスチック６６によってフードアウタパネル１６の裏面１６Ａに接合（固定）されている。【００３５】
デントリインフォース６０の頂面６４Ａとフードアウタパネル１６の裏面１６Ａとの間の間隔ｄ１は、本実施形態では一例として３ｍｍに設定されている。また、デントリインフォース６０の一般面６２とフードアウタパネル１６の裏面１６Ａとの間の間隔ｄ２は、５ｍｍ以上に設定することが好ましい。換言すれば、デントリインフォース６０の一般面６２からのマスチック座６４の高さは、２ｍｍ以上に設定されている。以上のように設定するのは、フードインナパネル１８を含むインナサブアッシーと、フードアウタパネル１６とを結合する際に、デントリインフォース６０とフードアウタパネル１６とが干渉するのを回避するためである。【００３６】
図２Ａ及び図２Ｂに示されるフードアウタパネル１６及びフードインナパネル１８は、いずれもアルミニウム合金板（本実施形態では、一例としてＪＩＳ規格による６０００系のアルミニウム合金板）をプレス成形することにより形成されている。フードアウタパネル１６の板厚及びフードインナパネル１８の板厚は、軽量化や歩行者保護性能等の複数の観点から設定されており、本実施形態では、一例として、フードアウタパネル１６の板厚が１．１ｍｍ、フードインナパネル１８の板厚が０．９ｍｍに設定されている。フードアウタパネル１６の外周部は、フードインナパネル１８にヘミング加工によって結合されている。フードアウタパネル１６とフードインナパネル１８とが組付けられた状態（パネル構造体の状態）では、両者は閉断面構造（本実施形態では、所謂「最中構造」）を形成しており、両者の間にはフード上下方向の隙間（空間）が形成されている。【００３７】
図２Ａに示されるように、フードインナパネル１８における外周縁部は、前端縁部１８Ａ、後端縁部１８Ｂ、及び左右のフード幅方向両端部１８Ｃ、１８Ｄで構成されており、前端縁部１８Ａ、後端縁部１８Ｂ、及び左右のフード幅方向両端部１８Ｃ、１８Ｄの内側が中央領域１８Ｅとなっている。【００３８】
また、フードインナパネル１８の中央領域１８Ｅには、複数の凸部としてのビード２２が形成されている。図２Ｂに示されるように、各ビード２２は、長手方向との直交面に沿う断面視で、中央領域１８Ｅにおけるパネル（フードインナパネル１８）がフードアウタパネル１６側に隆起して凸形状に形成され、図３に示される頂部２２Ａを備えている。これらの頂部２２Ａには、平坦状の平坦部２３が形成されている。平坦部２３の表面は、フードアウタパネル１６と略平行に配置（すなわち、略フード前後方向及び略フード幅方向を含む面を面方向として配置）され、平坦部２３の表面とフードアウタパネル１６の裏面１６Ａとの間の間隔は、本実施形態では一例として３ｍｍに設定されている。ビード２２における頂部２２Ａの一部は、フードアウタパネル１６の裏面１６Ａに接着剤であるマスチック１７（図２Ａ参照）を介して接合されている。【００３９】
この実施形態では、図２Ａに示されるように、各ビード２２は、それぞれ平面視でフード前後方向に対して平行な方向に沿って形成されている。すなわち、各ビード２２の長手方向は、フード前後方向に一致している。また、各ビード２２の前端部２２Ｂは、フードインナパネル１８の前端縁部１８Ａの近傍に至っており、各ビード２２の後端部２２Ｃは、フードインナパネル１８の後端縁部１８Ｂの近傍に至っている。これらのビード２２は、フードインナパネル１８の中央領域１８Ｅにおいてフード前後方向の曲げ剛性を向上する骨格を構成している。【００４０】
複数のビード２２が並列したフードインナパネル１８の中央領域１８Ｅには、隣り合うビード２２間にフードアウタパネル１６側に凹形状とされた凹部２４がそれぞれ形成されており、図３に示されるように、凹部２４の底部２４Ａは断面視で曲線状（湾曲状）に形成されている。すなわち、図２Ａ及び図２Ｂに示されるように、中央領域１８Ｅは、ビード２２（凸部）と凹部２４とがフード幅方向に沿って交互に設けられて断面視で波形形状（波型）とされた波状部２０がほぼ全域に形成されている。この波状部２０は、エンジンルーム１２の内部の剛体物１２Ａ（図２Ｂ参照）と対面する位置に形成されている。また、本実施形態では、波状部２０と剛体物１２Ａとの隙間寸法にフード厚みを加算した長さが約６４ｍｍになるように設定されている。【００４１】
図３に示されるように、この実施形態では、波状部２０の波形形状の断面において、複数のビード２２（凸部）のうち両端以外の任意のビード２２（一例として、図３の中央に図示されたビード２２）に対してその両側に隣接してそれぞれ形成されたビード２２の頂部２２Ａ同士の間の幅寸法２５が、歩行者頭部を模擬した頭部インパクタＣ（衝突体）の外径Ｄ（直径１６５ｍｍ）よりも小さく設定されている。ここで、頂部２２Ａ同士の間とは、当該頂部２２Ａ同士に挟まれた範囲を意味している。上記設定を換言すれば、波状部２０の波形形状の断面において任意の平坦部２３（一例として、図３の中央に図示された平坦部２３）及び当該平坦部２３の両側に連続してそれぞれ形成された両側の凹部開口部２４Ｂ、２４Ｃの三者の幅寸法の和が頭部インパクタＣの外径（１６５ｍｍ）よりも小さく設定されている。ここで、凹部開口部２４Ｂ、２４Ｃは、凹部２４における平坦部２３側の端部で形成された開口部を意味している。また、図３では、任意の平坦部２３の幅寸法を１２２Ａ、凹部開口部２４Ｂの幅寸法を１２４Ｂ、凹部開口部２４Ｃの幅寸法を１２４Ｃで示している。なお、頂部２２Ａの幅寸法１２２Ａは、本実施形態では一例として１７．５ｍｍに設定されている。【００４２】
頭部インパクタＣの詳細な構造は、歩行者頭部保護性能試験で規定されており、頭部インパクタＣの外径Ｄ（直径）は、人の頭部の平均的な外径にほぼ対応するサイズに設定されている。図３に示される頭部インパクタＣの外径Ｄ（直径）は、国際規格（ＩＳＯ）で規定された１６５ｍｍとされている。【００４３】
一方、波状部２０における波形形状の波長ｐは、７０ｍｍ≦ｐ≦８８ｍｍに設定されるのが好ましく、本実施形態ではｐ＝７０ｍｍに設定されている。ここで、波長ｐは、本実施形態のように、頂部２２Ａが平坦部２３となっている場合には、図３の波長ｐに示されるように、ある平坦部２３の幅方向中央位置（波長方向の中央位置）から隣の平坦部２３の幅方向中央位置（波長方向の中央位置）までの水平距離（フード幅方向の距離）である。【００４４】
また、波状部２０の波形形状の高さｈ（換言すればビード２２の高さ）は、図４に示されるデントリインフォース６０の一般面６２からのマスチック座６４の高さと同様の観点に立てば、最低２ｍｍは必要であり、本実施形態では、さらに図３に示される波状部２０の剛性確保の観点に立ってｈ＝８．５ｍｍに設定されている。【００４５】
ここで、一般に、波長ｐが短く設定されると、高さｈは、成形上の制約によって高く設定することができない。本実施形態では、フードインナパネル１８の剛性を確保するために、波長ｐが短くなることによるフードインナパネル１８の剛性向上と、高さｈが低くなることによる剛性低下と、のバランスを考慮して、上記のように波長ｐが７０ｍｍに設定されている。【００４６】
次に、波長ｐ及び高さｈの設定について図９および図１０を参照しながら補足説明する。図９は、横軸に波状部（２０）の波形形状の波長ｐ（波ピッチ）をとり、縦軸には、フード（１４）に頭部インパクタ（Ｃ）を衝突させた場合の頭部インパクタ（Ｃ）の侵入量ｓ（ｍｍ）と、波状部（２０）の波形形状の高さｈとの和を、とっている。図９では、縦軸の値が小さいほど、歩行者保護性能が良好であることを示している。また、波状部（２０）の波形形状の高さｈは、２０℃で冷間成形をした場合に設定可能な最も大きな値（成形限界の値）とした。図９に示されるように、波長ｐが７０≦ｐ≦８８（図中の両矢印Ｘで示された範囲）に設定された場合、縦軸の値が小さく、歩行者保護性能が良好になる。【００４７】
図１０には、成形限界の分布、すなわち、波長ｐに対してプレス成形可能な高さｈの最も大きな値の分布を示すグラフが示されている。図１０は、横軸に波状部（２０）の波形形状の波長ｐ（波ピッチ）をとり、縦軸に波状部（２０）の波形形状の高さｈをとっている。図中、領域Ｊの二点鎖線で囲まれた点群は、図９の場合と同様に２０℃で冷間成形をした場合の試験結果であり、領域Ｋの二点鎖線で囲まれた点群は、２５０℃で温間成形をした場合の試験結果である。【００４８】
ちなみに、フードインナパネルと同様の素材であるアルミニウム合金引っ張り試験片を用いた場合、冷間（２０℃）成形による伸び率は３５％であり、温間（２５０℃）成形による伸び率は６０％である。また、アルミニウム合金の板材をフードインナパネルに適用しかつ波長ｐ＝１６５（ｍｍ）、高さｈ＝２０（ｍｍ）の従来構造を前提とした経験値では、冷間（２０℃）成形による伸び率は１３％である。このことより、温間（２５０℃）成形でアルミニウム合金の板材をフードインナパネルに適用すると、計算上、伸び率は２２．３％（＝１３％×（６０％／３５％））になる。また、波長ｐ＝１６５（ｍｍ）としたときに伸び率が２２．３％となるような高さｈが３１．３（ｍｍ）であるので（図１０参照）、温間（２５０℃）成形によれば、波長ｐに対して高さｈは、ｈ／ｐ＝（３１．３／１６５）の関係が成立する設定が可能である。【００４９】
なお、本実施形態では、高さｈは、波長ｐ＝７０ｍｍとした場合における冷間（２０℃）成形の限界であるｈ＝８．５ｍｍに設定したが、本発明ではない参考例として、例えば、波長ｐ＝８８ｍｍとし、高さｈを、波長ｐ＝８８ｍｍとした場合における温間（２５０℃）成形の限界であるｈ＝１６．７ｍｍ程度に設定してもよい。この場合、例えば、図３に示される平坦部２３の幅寸法１２２Ａを、３０．１ｍｍに設定することで、波状部２０の波形形状の断面において、複数のビード２２（凸部）のうち両端以外の任意のビード２２に対してその両側に隣接してそれぞれ形成されたビード２２の頂部２２Ａ同士の間の幅寸法２５が、歩行者頭部を模擬した頭部インパクタＣの外径Ｄ（１６５ｍｍ）よりも小さく設定してもよい。また、本発明ではない参考例として、波長ｐ＝８２．５ｍｍ、高さｈ＝１１．５ｍｍに設定すると共に、平坦部２３の幅寸法１２２Ａを２０ｍｍに設定してもよい。
【００５０】
（作用・効果）
次に、上記実施形態の作用及び効果について説明する。【００５１】
図３に示されるように、本実施形態に係る車両用フード構造では、フードインナパネル１８に形成された波状部２０は、フードアウタパネル１６側に凸形状とされかつ頂部２２Ａが平坦状とされたビード２２と、フードアウタパネル１６側に凹形状とされた凹部２４と、が交互に設けられて波形形状となっている。このため、フードインナパネル１８は、剛性が比較的高く、その弾性変形等に要するエネルギーを吸収する。【００５２】
ここで、フードインナパネル１８における波状部２０の波形形状の断面において、複数のビード２２（凸部）のうち両端以外の任意のビード２２に対してその両側に隣接してそれぞれ形成されたビード２２の頂部２２Ａ同士の間の幅寸法２５が、歩行者頭部を模擬した頭部インパクタＣ（衝突体）の外径Ｄ（直径１６５ｍｍ）よりも小さく設定されている。このため、フードインナパネル１８によるフードアウタパネル１６の支持間隔が狭くなる（換言すれば、梁に相当する部分の長さが短い）ので、フードアウタパネル１６の剛性を確保しやすく、フードアウタパネル１６の剛性が上がると、フードアウタパネル１６による衝突初期のエネルギー吸収量も大きくなる。【００５３】
また、図５Ａに示されるように、衝突体である頭部インパクタＣがフードインナパネル１８の頂部２２Ａ間の上方側でフードアウタパネル１６に衝突した場合、図５Ｂに示されるように、頭部インパクタＣは、フードアウタパネル１６を撓み変形させながら凹部２４に入り込むように変位し、フードアウタパネル１６が撓み始めてから比較的早い段階で、フードアウタパネル１６を介してフードインナパネル１８に接触して支持される。これにより、衝突初期のエネルギー吸収におけるフードインナパネル１８の寄与度が高まる。【００５４】
さらに、例えば、図６Ａに示される頭部インパクタＣがフードインナパネル１８の単一の頂部２２Ａの上方側でフードアウタパネル１６に衝突した場合であっても、エネルギーを効果的に吸収できる。すなわち、そのような場合には、図６Ｂに示されるように、まず、フードアウタパネル１６及びフードインナパネル１８の当該単一の頂部２２Ａが頭部インパクタＣによって押されて変位する。その後、図６Ｃに示されるように、少なくとも衝突後期には頭部インパクタＣがフードアウタパネル１６を介して複数の頂部２２Ａに接触して支持される。これにより、単一のビード２２が撓む時間が短くなってビード２２の断面変形が抑えられ、衝突後期のエネルギー吸収量を大きくすることができる。【００５５】
また、本実施形態に係る車両用フード構造では、ビード２２の頂部２２Ａには平坦部が形成されているので、ビード２２の頂部２２Ａには平坦部が形成されていない場合に比べてフードインナパネル１８の断面係数を上げられる。このため、フードアウタパネル１６を介して頭部インパクタＣがフードインナパネル１８の上方側に衝突した場合、フードインナパネル１８によるエネルギー吸収量が大きくなる。【００５６】
また、本実施形態に係る車両用フード構造では、図３に示される波状部２０における波形形状の波長ｐが、７０ｍｍに設定されているので、波状部２０は、波形形状の波長ｐが短く設定されつつ、プレス成形によって波形形状の高さｈも８．５ｍｍ確保でき（図１０参照）、剛性の一層の向上が可能となる。ここで、波状部２０の剛性が確保されることで、波状部２０に支持されるフードアウタパネル１６の剛性を高くすることができ、フードインナパネル１８のエネルギー吸収への寄与が早まることと相まって、頭部インパクタＣの衝突初期から大きなエネルギー吸収が成される。また、波状部２０の剛性が確保されることで、フードインナパネル１８の断面変形が生じ難くなり、頭部インパクタＣの衝突後期にも大きなエネルギー吸収が成される。これらにより、フード１４による歩行者保護性能が一層向上する。【００５７】
また、図２Ａに示されるように、ビード２２は、フード前後方向に対して平行な方向に沿って形成されているので、フードインナパネル１８における中央領域１８Ｅは、フード前後方向における剛性が高くなる。これにより、頭部インパクタＣ（図２Ｂ参照）の衝突に対するフードインナパネル１８の剛性が高められ、フードインナパネル１８によるエネルギー吸収量が大きくなる。【００５８】
また、図２Ｂに示されるように、フードインナパネル１８の波状部２０は、フード１４が覆うエンジンルーム１２の内部の剛体物１２Ａと対面する位置に形成されているので、フードインナパネル１８は剛体物１２Ａの車両上方側の部位における剛性が高められている。このため、頭部インパクタＣが剛体物１２Ａの車両上方側でフード１４に衝突した場合には、波状部２０によって衝撃エネルギーが吸収されるので、頭部インパクタＣの侵入量が抑えられる。【００５９】
以下、上記効果を裏付けるＣＡＥ解析結果について説明する。【００６０】
図７は、本実施形態に係る車両用フード構造及び対比構造のＧ−Ｓ線図、すなわち、頭部インパクタがフードに衝突した際の頭部インパクタの発生減速度ＧとストロークＳとの関係を示すグラフである。図７の実線は、本実施形態に係る車両用フード構造のＧ−Ｓ線図を示し、図７の点線は、対比構造のＧ−Ｓ線図を示す。対比構造は、フードインナパネルの中央領域がサイン曲線の波形形状に形成されかつその波長が１６５ｍｍに設定されている。【００６１】
図７に示されるように、本実施形態に係る車両用フード構造は、衝突初期（領域Ａ）でも、衝突後期でエネルギー吸収量が維持される時期（領域Ｂ）でも、前述した作用によって対比構造よりも発生減速度が大きく、換言すれば、エネルギー吸収量が大きくなっている。その結果、本実施形態に係る車両用フード構造では対比構造よりもストロークが短くなり、フードインナパネルとエンジンルーム内の剛体物との隙間を短く設定することができる。【００６２】
一方、図８は、本実施形態に係る車両用フード構造及び対比構造に係るフード（中央領域）の種々のポイントに頭部インパクタを衝突させた場合のＨＩＣ値（頭部障害基準値）及び侵入量を示すグラフであり、縦軸はＨＩＣ値を示し、横軸はフードインナの侵入量（ストローク）Ｓ（ｍｍ）を示している。すなわち、このグラフ中では、より下側にプロットされた結果ほど好ましく、より左側にプロットされた結果ほど好ましい。【００６３】
グラフ中央における点線Ｌよりも右側は、フードにおける所定位置よりも後方側のエリア（大人エリア）に対して頭部インパクタを衝突させた場合であり、グラフ中央における点線Ｌよりも左側は、フードにおける所定位置よりも前方側のエリア（子供エリア）に対して頭部インパクタを衝突させた場合である。また、図８の塗り潰した四角形は、本実施形態に係る車両用フード構造の結果を示し、図８の白抜きの四角形は、対比構造の結果を示す。対比構造は、図７に結果を示した対比構造と同様の構造である。図８に示されるように、本実施形態に係る車両用フード構造は、頭部インパクタによってフードのどこを（大人エリア及び子供エリアのいずれを）打撃しても対比構造よりも良好な結果が得られた。【００６４】
以上説明したように、本実施形態に係る車両用フード構造によれば、図３に示される衝突体である頭部インパクタＣの衝突時におけるエネルギー吸収性能を向上させることができる。その結果として、フード１４とエンジンルーム１２の内部の剛体物１２Ａとの間の隙間を小さくすることができる。【００６５】
［第２実施形態］
次に、本発明の第２の実施形態に係る車両用フード構造について、図１１Ａ〜図１３を用いて説明する。図１１Ａには、本発明の第２の実施形態に係る車両用フード構造におけるフードインナパネル１８の一部が斜視図にて示されている。この図に示されるように、本実施形態では、凹部２４の底部２４Ａに脆弱部としての長孔２６（広義には「貫通孔」として把握される要素である。）が貫通形成されている点で、第１の実施形態に係る車両用フード構造とは異なる。他の構成は、第１の実施形態とほぼ同様の構成となっている。よって、第１の実施形態と実質的に同様の構成部については、同一符号を付して説明を省略する。【００６６】
図１１Ａに示されるように、長孔２６は、底部２４Ａの延在方向（波ピッチ方向に直交する方向）を長手方向としており、長手方向の両端側は半円状に形成されている。また、本実施形態では、一例として、長孔２６の長手方向の寸法が６０ｍｍ、長孔２６の長手方向に直交する方向の寸法が１０ｍｍに設定されている。また、長孔２６は、底部２４Ａにおいてその下方側に配置されるパワーユニット等の剛体物１２Ａ（図１２Ａ参照）までの隙間が短い部位に主として形成されている。【００６７】
（作用・効果）
次に、本実施形態の作用及び効果について説明する。なお、図１２Ａには、フード１４に頭部インパクタＣが衝突した状態が示されており、衝突初期（衝突直後）の状態が二点鎖線で示されると共に、衝突荷重によってフード１４がある程度撓んだ状態が実線で示されている。また、図１２Ｂには、図１２Ａの実線で示される状態からフード１４がさらに撓んでフードインナパネル１８がエンジンルーム１２の内部の剛体物１２Ａと当接した状態（底付いた状態）が示されている。【００６８】
図１２Ａに示される頭部インパクタＣがフードアウタパネル１６に衝突した場合、図１１Ｂに示されるように、波状部２０は車両下方側に撓むように（沈むように）変形する。このため、図１２Ａに示される波状部２０の断面上部（矢印２０Ｘの区間参照）には、波状部２０の断面崩れを誘発する圧縮荷重が発生する。ここで、仮に、波状部２０に断面崩れが発生すると、フードインナパネル１８の剛性が低下して、フード１４が剛体物１２Ａに底付くまでのエネルギー吸収効率が低下してしまう。【００６９】
しかしながら、本実施形態では、長孔２６は、凹部２４の底部２４Ａに形成されているので、エネルギー損失（エネルギー吸収効率の低下）が小さく抑えられる。このため、図１２Ａに示されるように、衝突初期からフード１４が剛体物１２Ａに底付く前までの間においては、フードインナパネル１８の断面形状における顕著な変形が抑えられる。【００７０】
また、図１２Ｂに示されるように、その後、フード１４が剛体物１２Ａに底付いた場合、フードインナパネル１８の波状部２０において底部２４Ａから立ち上がる部位（区間ａ）は、断面内に倒れ込もうとし、底部２４Ａ（区間ｂ）は断面線長の余りを吸収するべく車両上方に撓もうとする。ここで、従来構造に比べて波長ｐ（波ピッチ）が短く設定されて底部２４Ａ（区間ｂ）の幅寸法が短く設定されていると、底部２４Ａ（区間ｂ）が従来構造に比べて車両上方側に撓み難くなることによって波状部２０が潰れ難くなる可能性がある。【００７１】
しかしながら、本実施形態では、波状部２０の底部２４Ａに長孔２６が形成されて底部２４Ａが弱体化されているので、フード１４の底付き後に波状部２０の縦壁部分（区間ａ参照）が倒れ込むように変形しても凹部２４の底部２４Ａが浮き上がるように変形することによって断面線長の余りが吸収され、波状部２０が良好に潰れる（良好な変形モードの実現）。【００７２】
すなわち、底部２４Ａに長孔２６（図１１Ａ参照）が形成されることで、フード１４が剛体物１２Ａに底付くまでのエネルギー損失を最小にでき、かつ、フード１４の底付き時には波状部２０の十分な断面潰れを実現することができる。また、長孔２６は、底部２４Ａにおいて剛体物１２Ａまでの隙間が短い部位に主として形成されているので、上記効果が十分に発揮される。【００７３】
以下、上記効果を裏付けるＣＡＥ解析結果について説明する。図１３には、歩行者保護性能に関するＣＡＥ結果が示されている。図１３は、本実施形態に係る車両用フード構造及び本実施形態の長孔（２６）が形成されない対比構造のＧ−Ｓ線図、すなわち、頭部インパクタがフードに衝突した際の頭部インパクタの発生減速度ＧとストロークＳとの関係を示すグラフである。図１３の太線は、本実施形態に係る車両用フード構造のＧ−Ｓ線図を示し、図１３の細線は、対比構造のＧ−Ｓ線図を示す。図１３に示されるように、本実施形態に係る車両用フード構造によれば、フードが剛体物に底付きした際の荷重を低減（矢印Ｙ参照）することができることが分かる。【００７４】
なお、図１１Ａに示される長孔２６の形状は、長方形等の他の形状であってもよい。また、底部２４Ａに形成される脆弱部は、長孔２６に代えて、円孔や局部的な薄板部（他の部位に比べて肉厚が薄く設定された薄肉部）等のような他の脆弱部であってもよい。【００７５】
［第３実施形態］
次に、本発明の第３の実施形態に係る車両用フード構造について、図１４を用いて説明する。図１４には、本発明の第３の実施形態に係るフードアウタパネル１６（想像線参照）等を透視した状態のフード３０が平面図にて示されている。この図に示されるように、フード３０は、フードインナパネル３２の複数の凸部としてのビード３６がフード前後方向に対して斜め方向に沿って形成されている点で、第１の実施形態に係るフード１４（図２Ａ参照）とは異なる。他の構成は、第１の実施形態とほぼ同様の構成となっている。よって、第１の実施形態と実質的に同様の構成部については、同一符号を付して説明を省略する。【００７６】
図１４に示されるフードインナパネル３２は、フードアウタパネル１６側に凸形状とされたビード３６と、フードアウタパネル１６側に凹形状とされた凹部３８と、が交互に設けられて波形形状とされた波状部３４が中央領域１８Ｅに形成されている。波状部３４の波形形状は、波状部２０（図３参照）の波形形状と同様の断面形状とされている。すなわち、ビード３６の頂部３６Ａに平坦状の平坦部３７が形成され、底部３８Ａに湾曲部が形成されると共に、頂部３６Ａと底部３８Ａとが傾斜部で繋がっている。また、ビード３６は、フード平面視でフード後方側が開いたＶ字形状に形成されている。【００７７】
また、第１の実施形態と同様に、フードインナパネル３２における波状部３４の波形形状の断面（図示省略）において、複数のビード３６（凸部）のうち両端以外の任意のビード３６に対してその両側に隣接してそれぞれ形成されたビード３６の頂部３６Ａ同士の間の幅寸法が、歩行者頭部を模擬した頭部インパクタＣ（図３参照）の外径（直径１６５ｍｍ）よりも小さく設定されている。換言すれば、波状部２０の波形形状の断面（図示省略）において任意の平坦部３７及び当該平坦部３７の両側に連続してそれぞれ形成された両側の凹部開口部（凹部３８の開口部）の三者の幅寸法の和が頭部インパクタＣ（図３参照）の外径（１６５ｍｍ）よりも小さく設定されている。以上のような構成によっても、前述した第１の実施形態とほぼ同様の作用及び効果が得られる。【００７８】
なお、本実施形態では、ビード３６は、フード平面視でフード後方側が開いたＶ字形状に形成されているが、凸部としてのビードは、フード平面視でフード前方側が開いたＶ字形状に形成されたビードであってもよい。また、凸部としてのビードは、フード平面視でフード右斜め後方へ向けて又はフード左斜め後方へ向けて形成されたビード（フード幅方向中央部の両側に設けられて左右対称に形成されたビードを含む）であってもよい。また、フードインナパネルには、フード前後方向に対して平行な方向に沿って形成されたビードと、フード前後方向に対して斜め方向に沿って形成されたビードとが混在していてもよい。【００７９】
［第４実施形態］
次に、本発明の第４の実施形態に係る車両用フード構造について、図１５を用いて説明する。図１５には、本発明の第４の実施形態に係るフードアウタパネル１６（想像線参照）等を透視した状態のフード４０が平面図にて示されている。この図に示されるように、フード４０は、フードインナパネル４２の凸部としてのビード４６がフード平面視の中央部側を中心として同心円状に形成されている点で、第１の実施形態に係るフード１４（図２Ａ参照）とは異なる。他の構成は、第１の実施形態とほぼ同様の構成となっている。よって、第１の実施形態と実質的に同様の構成部については、同一符号を付して説明を省略する。【００８０】
図１５に示されるフードインナパネル４２は、フードアウタパネル１６側に凸形状とされたビード４６と、フードアウタパネル１６側に凹形状とされた凹部４８と、が交互に設けられて波形形状とされた波状部４４が中央領域１８Ｅに形成されている。波状部４４の波形形状は、波状部２０（図３参照）の波形形状と同様の断面形状とされている。すなわち、ビード４６の頂部４６Ａに平坦状の平坦部４７が形成され、底部４８Ａに湾曲部が形成されると共に、頂部４６Ａと底部４８Ａとが傾斜部で繋がっている。【００８１】
また、第１の実施形態と同様に、フードインナパネル４２における波状部４４の波形形状の断面（図示省略）において、複数のビード４６（凸部）のうち両端以外の任意のビード４６に対してその両側に隣接してそれぞれ形成されたビード４６の頂部４６Ａ同士の間の幅寸法が、歩行者頭部を模擬した頭部インパクタＣ（図３参照）の外径（直径１６５ｍｍ）よりも小さく設定されている。換言すれば、波状部４４の波形形状の断面（図示省略）において任意の平坦部４７及び当該平坦部４７の両側に連続してそれぞれ形成された両側の凹部開口部（凹部４８の開口部）の三者の幅寸法の和が頭部インパクタＣ（図３参照）の外径（１６５ｍｍ）よりも小さく設定されている。以上のような構成によっても、前述した第１の実施形態とほぼ同様の作用及び効果が得られる。【００８２】
［第５実施形態］
次に、本発明の第５の実施形態に係る車両用フード構造について、図１６を用いて説明する。図１６には、本発明の第５の実施形態に係るフードアウタパネル１６（想像線参照）等を透視した状態のフード５０が平面図にて示されている。この図に示されるように、フード５０は、フードインナパネル５２の凸部としてのビード５６がフード平面視の中央部側から放射状に形成されている点で、第１の実施形態に係るフード１４（図２Ａ参照）とは異なる。他の構成は、第１の実施形態とほぼ同様の構成となっている。よって、第１の実施形態と実質的に同様の構成部については、同一符号を付して説明を省略する。【００８３】
図１６に示されるフードインナパネル５２は、フードアウタパネル１６側に凸形状とされたビード５６と、フードアウタパネル１６側に凹形状とされた凹部５８と、が交互に設けられて波形形状とされた波状部５４が中央領域１８Ｅに形成されている。波状部５４の波形形状は、波状部２０（図３参照）の波形形状と同様の断面形状とされている。すなわち、ビード５６の頂部５６Ａに平坦状の平坦部５７が形成され、底部５８Ａに湾曲部が形成されると共に、頂部５６Ａと底部５８Ａとが傾斜部で繋がっている。【００８４】
また、第１の実施形態と同様に、フードインナパネル５２における波状部５４の波形形状の断面（図示省略）において、複数のビード５６（凸部）のうち両端以外の任意のビード５６に対してその両側に隣接してそれぞれ形成されたビード５６の頂部５６Ａ同士の間の幅寸法が、歩行者頭部を模擬した頭部インパクタＣ（図３参照）の外径（直径１６５ｍｍ）よりも小さく設定されている。換言すれば、波状部５４の波形形状の断面（図示省略）において任意の平坦部５７及び当該平坦部５７の両側に連続してそれぞれ形成された両側の凹部開口部（凹部５８の開口部）の三者の幅寸法の和が頭部インパクタＣ（図３参照）の外径（１６５ｍｍ）よりも小さく設定されている。以上のような構成によっても、前述した第１の実施形態とほぼ同様の作用及び効果が得られる。【００８５】
［実施形態の補足説明］
なお、波状部（２０、３４、４４、５４）は、フード（１４、３０、４０、５０）が覆うエンジンルーム（１２）の内部の剛体物（１２Ａ）と対面する位置に当該波状部（２０、３４、４４、５４）の全部が形成されていてもよいし、当該波状部（２０、３４、４４、５４）の一部が剛体物（１２Ａ）と対面する位置に形成されていてもよい。【００８６】
また、平坦部（２３、３７、４７、５７）を構成する面は水平面等の完全な平面に限定されず、フードアウタパネル（１６）の裏面（１６Ａ）を支える機能を有する実質的に平坦状の面であればよい。なお、フードアウタパネル（１６）は、一般に全体としてフード上方側へ凸状に膨らんでなだらかに湾曲している場合が多く、また部分的にフード下方側へ凹むようになだらかに湾曲している場合もあるので、平坦部（２３、３７、４７、５７）を構成する面は、実質的に平坦状といえる面でかつフードアウタパネル（１６）の裏面（１６Ａ）の曲面形状に沿って僅かに湾曲された面に設定されるのが好ましい。
【図１】
0005408336.tif 000002
【図２Ａ】
0005408336.tif 000003
【図２Ｂ】
0005408336.tif 000004
【図３】
0005408336.tif 000005
【図４】
0005408336.tif 000006
【図５Ａ】
0005408336.tif 000007
【図５Ｂ】
0005408336.tif 000008
【図６Ａ】
0005408336.tif 000009
【図６Ｂ】
0005408336.tif 000010
【図６Ｃ】
0005408336.tif 000011
【図７】
0005408336.tif 000012
【図８】
0005408336.tif 000013
【図９】
0005408336.tif 000014
【図１０】
0005408336.tif 000015
【図１１Ａ】
0005408336.tif 000016
【図１１Ｂ】
0005408336.tif 000017
【図１２Ａ】
0005408336.tif 000018
【図１２Ｂ】
0005408336.tif 000019
【図１３】
0005408336.tif 000020
【図１４】
0005408336.tif 000021
【図１５】
0005408336.tif 000022
【図１６】
0005408336.tif 000023